(57)【要約】【課題】  外部から加えられた衝撃や着脱ユニットの振動によるコネクタの破損を抑制しつつ、着脱ユニットを容易に着脱することができる電子機器を提供する。【解決手段】  第１コネクタを有する着脱ユニットを挿抜するための開口部を有する筐体と、開口部に対して第１コネクタ側から挿入された着脱ユニットを弾性的に支持するユニット支持手段と、第１コネクタと着脱可能に結合され、配線を介して筐体内の回路基板に接続された第２コネクタと、第２コネクタを支持するコネクタ支持手段により構成される。コネクタ支持手段は、第２コネクタが固着されたコネクタ基板と、筐体に支持された基板支持部材と、コネクタ基板及び基板支持部材の一方に固着され、他方に形成された貫通孔に挿通され、最大径が貫通孔よりも大きなテーパー面を有する締結軸と、コネクタ基板及び基板支持部材を互いに反対側に付勢し、貫通孔の外縁をテーパー面に当接させる付勢手段からなる。【選択図】  図７
2010170746.tif 000002
【特許請求の範囲】
【請求項１】
第１コネクタを有する着脱ユニットを挿抜するための開口部を有する筐体と、
上記開口部に対して第１コネクタ側から挿入された上記着脱ユニットを弾性的に支持するユニット支持手段と、
第１コネクタと着脱可能に結合され、上記筐体内の回路基板に接続された第２コネクタと、
第２コネクタを支持するコネクタ支持手段とを備え、
上記コネクタ支持手段は、第２コネクタが固着されたコネクタ基板と、
上記筐体に支持された基板支持部材と、
上記コネクタ基板及び上記基板支持部材の一方に固着され、他方に形成された貫通孔に挿通され、最大径が上記貫通孔よりも大きなテーパー面を有する締結軸と、
上記コネクタ基板及び上記基板支持部材を互いに反対側に付勢し、上記貫通孔の外縁を上記テーパー面に当接させる付勢手段とからなることを特徴とするユニット式電子機器。
【請求項２】
上記付勢手段は、上記着脱ユニットを挿入する際、第１コネクタ及び第２コネクタの結合後に上記テーパー面が上記貫通孔の外縁から離れるように付勢することを特徴とする請求項１に記載のユニット式電子機器。
【請求項３】
上記着脱ユニットの挿抜方向の位置を固定することにより、上記テーパー面を上記貫通孔の外縁から離れた状態に維持するユニット固定手段を備えたことを特徴とする請求項１又は２に記載のユニット式電子機器。
【請求項４】
上記締結軸は、上記テーパー面が形成された頭部を有し、上記コネクタ基板及び上記基板支持部材の上記一方に螺合されるネジであることを特徴とする請求項１に記載のユニット式電子機器。
【請求項５】
上記貫通孔は、上記基板支持部材に形成され、上記コネクタ基板には、上記締結軸と螺合させる圧入ナットが埋設されていることを特徴とする請求項１に記載のユニット式電子機器。
【請求項６】
上記付勢手段が、上記コネクタ基板及び上記基板支持部材間に配設された樹脂スポンジであることを特徴とする請求項１に記載のユニット式電子機器。
【請求項７】
上記着脱ユニットは、ディスクドライブユニットであることを特徴とする請求項１に記載のユニット式電子機器。
【発明の詳細な説明】
【技術分野】
【０００１】
本発明は、ユニット式電子機器に係り、さらに詳しくは、ディスクドライブユニットなどの着脱ユニットを筐体内で弾性的に支持するユニット式電子機器の改良に関する。
【背景技術】
【０００２】
監視カメラによって撮影された映像を着脱可能なＨＤＤ（ハードディスクドライブ）ユニットに録画する録画装置が知られている。従来の録画装置では、ＨＤＤユニットが本体側の回路とＦＰＣ（Flexible Printed Circuits）ケーブルを用いて接続されている。このため、ＨＤＤユニットの着脱時には、上記ケーブルの着脱を行う必要があり、メンテナンス性が良くないという問題があった。
【０００３】
そこで、ＨＤＤユニットを本体側筐体の開口部へ挿入することによって、ＨＤＤユニットが本体内のコネクタに接続され、ＨＤＤユニットを引き抜くことによって、上記コネクタから離脱させて取り出すことができれば、メンテナンス性を向上させることができると考えられる。しかしながら、一般に、ＨＤＤユニットは、フローティング機構によって、本体側筐体に対して弾性的に支持されているため、ＨＤＤユニットを挿入するだけで、本体内のコネクタに接続できるようにすれば、本体内のコネクタに負担がかかるという問題があった。
【０００４】
すなわち、ＨＤＤユニットは、外部から衝撃を与えられると、誤動作したり、破損するおそれがある。また、ＨＤＤユニットは、内蔵ディスクを回転させる駆動機構を内蔵しているため、動作時に振動する。このため、ＨＤＤユニットは、通常、本体側筐体に対して弾性的に支持されている。
【０００５】
一方、ＨＤＤユニットを本体側筐体の開口部から挿入することによって、本体内のコネクタと接続させるためには、上記コネクタを本体側筐体に固定し、その位置を決めておく必要があった。ところが、装着後のＨＤＤユニットは、本体側筐体に対して弾性的に保持されているため、本体側筐体に固定されたコネクタにＨＤＤユニットを接続すると、外部からの衝撃や、ＨＤＤユニットの振動によって、上記コネクタに負担がかかり、上記コネクタが破損するおそれがあった。
【０００６】
なお、特許文献１には、電力ロスを抑えるためにコネクタ内の電源ピンの接触抵抗を低下させる技術が開示されている。この特許文献１に記載のコネクタは、電源ピンをその長手方向に付勢するスプリングコネクタを備えるものであって、振動の影響でコネクタ間に接触不良が生じるのを防止できるものではない。
【先行技術文献】
【特許文献】
【０００７】
【特許文献１】特開２００２−８３６４０号公報
【発明の概要】
【発明が解決しようとする課題】
【０００８】
本発明は、上記事情に鑑みてなされたものであり、ＨＤＤユニットなどの着脱ユニットを容易に着脱することができるユニット式電子機器を提供することを目的とする。特に、外部から加えられた衝撃や着脱ユニット自身の振動によるコネクタの破損を抑制しつつ、着脱ユニットを容易に着脱することができる電子機器を提供することを目的とする。
【課題を解決するための手段】
【０００９】
第１の本発明によるユニット式電子機器は、第１コネクタを有する着脱ユニットを挿抜するための開口部を有する筐体と、上記開口部に対して第１コネクタ側から挿入された上記着脱ユニットを弾性的に支持するユニット支持手段と、第１コネクタと着脱可能に結合され、上記筐体内の回路基板に接続された第２コネクタと、第２コネクタを支持するコネクタ支持手段とを備え、上記コネクタ支持手段が、第２コネクタが固着されたコネクタ基板と、上記筐体に支持された基板支持部材と、上記コネクタ基板及び上記基板支持部材の一方に固着され、他方に形成された貫通孔に挿通され、最大径が上記貫通孔よりも大きなテーパー面を有する締結軸と、上記コネクタ基板及び上記基板支持部材を互いに反対側に付勢し、上記貫通孔の外縁を上記テーパー面に当接させる付勢手段とからなるように構成される。
【００１０】
この様な構成により、着脱ユニットの装着前は、締結軸のテーパー面が貫通孔の外縁に当接し、着脱ユニットの挿抜方向に交差する方向への第２コネクタの移動が規制され、第２コネクタが筐体内の所定位置に配置された状態となる。このため、着脱ユニットを第１コネクタ側から挿入すれば、第１及び第２コネクタを結合することができる。しかも、着脱ユニットの装着後は、着脱ユニットがユニット支持手段によって弾性的に支持されるとともに、締結軸のテーパー面が貫通孔の外縁から離れることにより、第２コネクタが着脱ユニットの挿抜方向に交差する方向へ移動可能となる。このため、着脱ユニットが弾性的に支持され、第１及び第２コネクタに負担がかかって破損することもない。
【００１１】
第２の本発明によるユニット式電子機器は、上記構成に加え、上記付勢手段が、上記着脱ユニットを挿入する際、第１コネクタ及び第２コネクタの結合後に上記テーパー面が上記貫通孔の外縁から離れるように付勢するように構成される。
【００１２】
第３の本発明によるユニット式電子機器は、上記構成に加え、上記着脱ユニットの挿抜方向の位置を固定することにより、上記テーパー面を上記貫通孔の外縁から離れた状態に維持するユニット固定手段を備えて構成される。
【００１３】
第４の本発明によるユニット式電子機器は、上記構成に加え、上記締結軸が、上記テーパー面が形成された頭部を有し、上記コネクタ基板及び上記基板支持部材の上記一方に螺合されるネジであるように構成される。この様な構成によれば、着脱ユニットの挿抜方向に交差する方向への第２コネクタの移動を規制するのにコネクタ基板及び基板支持部材の一方に螺合されるネジを利用するので、安価かつ容易に製造することができ、コネクタの破損を抑制しつつ、着脱ユニットを容易に着脱することができる電子機器を実現することができる。
【００１４】
第５の本発明によるユニット式電子機器は、上記構成に加え、上記貫通孔が、上記基板支持部材に形成され、上記コネクタ基板には、上記締結軸と螺合させる圧入ナットが埋設されているように構成される。この様な構成によれば、筐体に支持される基板支持部材に締結軸を挿通させる貫通孔を形成し、コネクタ基板に締結軸を螺合させる圧入ナットを埋設するので、製造時の作業性を向上させることができる。
【００１５】
第６の本発明によるユニット式電子機器は、上記構成に加え、上記付勢手段が、上記コネクタ基板及び上記基板支持部材間に配設された樹脂スポンジであるように構成される。この様な構成によれば、コネクタ基板及び基板支持部材間に配設される樹脂スポンジが断面積を応じて付勢力が変化する弾性体であるので、コネクタ基板及び基板支持部材を互いに反対側に付勢させる際の付勢力を容易に調整することができる。
【００１６】
第７の本発明によるユニット式電子機器は、上記構成に加え、上記着脱ユニットが、ディスクドライブユニットであるように構成される。
【発明の効果】
【００１７】
本発明によるユニット式電子機器は、第２コネクタが固着されたコネクタ基板及び筐体に支持された基板支持部材の一方に固着され、他方に形成された貫通孔に挿通された締結軸を備え、当該締結軸が、最大径が上記貫通孔よりも大きなテーパー面を有している。また、コネクタ基板と基板支持部材とを互いに反対側に付勢し、貫通孔の外縁を締結軸のテーパー面に当接させる付勢手段を有している。
【００１８】
このため、着脱ユニットの装着前は、締結軸のテーパー面が貫通孔の外縁に当接し、第２コネクタが筐体内の所定位置に配置された状態となる。従って、着脱ユニットを第１コネクタ側から挿入すれば、第１及び第２コネクタが結合されるので、着脱ユニットを容易に装着することができる。
【００１９】
しかも、着脱ユニットの装着後は、着脱ユニットがユニット支持手段によって弾性的に支持されるとともに、締結軸のテーパー面が貫通孔の外縁から離れることにより、上記挿抜方向に交差する方向へ移動可能となる。このため、着脱ユニットが弾性的に支持されるとともに、外部から加えられた衝撃や着脱ユニットの振動の影響を受けて、第１及び第２コネクタが破損するのを防止することができる。
【図面の簡単な説明】
【００２０】
【図１】本発明の実施の形態１によるユニット式電子機器の概略構成の一例を示した斜視図であり、ユニット式電子機器の一例として録画装置１００が示されている。
【図２】図１のコネクタ基板３１の一例を示した図である。
【図３】図１のコネクタ基板３１の一例を示した図である。
【図４】図１の録画装置１００におけるＨＤＤモジュール４０の構成例を示した図である。
【図５】図１の録画装置１００におけるＨＤＤモジュール４０の構成例を示した図である。
【図６】図１の録画装置１００における本体ユニット２０の構成例を示した平面図である。
【図７】図１の録画装置１００における本体ユニット２０の構成例を示した断面図であり、図６のＡ−Ａ線による切断面が示されている。
【図８】ＨＤＤモジュール４０を本体ユニット２０内に装着した場合の一例を示した断面図であり、図６のＡ−Ａ線による切断面が示されている。
【図９】本発明の他の実施の形態によるユニット式電子機器の一構成例を示した断面図であり、Ａ−Ａ線による本体ユニット２０の切断面が示されている。
【図１０】本発明のその他の実施の形態によるユニット式電子機器の一構成例を示した断面図であり、Ａ−Ａ線による本体ユニット２０の切断面が示されている。
【発明を実施するための形態】
【００２１】
＜録画装置＞
図１（ａ）及び（ｂ）は、本発明の実施の形態によるユニット式電子機器の概略構成の一例を示した斜視図であり、ユニット式電子機器の一例としてＨＤＤユニット着脱式の録画装置１００が示されている。図１（ａ）には、フロントパネルユニット１０が示され、図１（ｂ）には、ＨＤＤモジュール４０が装着される本体ユニット２０が示されている。
【００２２】
録画装置１００は、複数の監視カメラによって撮影された映像をＨＤＤモジュール４０内のＨＤＤユニットに録画することができるデジタルビデオレコーダーであり、フロントパネルユニット１０及び本体ユニット２０からなる。この録画装置１００は、ＨＤＤモジュール４０の装着後、フロントパネルユニット１０を本体ユニット２０に上から被せることによって完成する。
【００２３】
フロントパネルユニット１０は、電源スイッチや複数の操作ボタンが配置されたフロントパネル１１を有するカバーケースである。
【００２４】
本体ユニット２０は、外部機器から入力された信号を処理してＨＤＤユニットに書き込んだり、ＨＤＤユニットから読み出した信号を処理して出力する情報処理部を含み、開口部２４を有する筐体２１と、筐体２１に支持された基板支持部材２２を有する。
【００２５】
筐体２１は、回路基板などを支持するメインフレームであり、フロント側に設けられた開口部２４を介してＨＤＤモジュール４０を挿入することによって当該ＨＤＤモジュールが本体ユニット２０内に収容される。ＨＤＤモジュール４０は、開口部２４を介して挿抜され、筐体２１には、その様な２つの開口部２４が設けられている。つまり、この本体ユニット２０は、２台のＨＤＤモジュール４０を同時に装着することができるようになっている。
【００２６】
基板支持部材２２は、ＨＤＤモジュール４０側のコネクタに結合させるコネクタ３０が配設されるサブフレームであり、コネクタ３０が固着されたコネクタ基板３１が取り付けられている。コネクタ３０は、フロント側に向けて配置され、可撓性を有する配線を介して筐体２１内の回路基板（図示せず）に接続される。
【００２７】
ＨＤＤモジュール４０は、ＨＤＤユニットと、このＨＤＤユニットを弾性的に支持するフローティング機構を備えた交換可能な記憶装置であり、本体ユニット２０のコネクタ３０と結合させるコネクタや固定用ネジ孔４１が設けられている。
【００２８】
ＨＤＤモジュール４０は、開口部２４に対してコネクタ側から挿入することによって本体ユニット２０内に収容される。ＨＤＤモジュール４０は、筐体２１内に挿入時に、筐体２１に設けられたガイド板２３によって左右方向の移動が規制される。
【００２９】
ＨＤＤモジュール４０を本体ユニット２０内に収容した後、固定用ネジ孔４１にネジを挿通させてＨＤＤモジュール４０を筐体２１にネジ止めすることによって、ＨＤＤモジュール４０が抜け出るのを防止することができる。つまり、ＨＤＤモジュール４０を筐体２１にネジ止めすることによって、ＨＤＤモジュール４０の挿抜方向の位置が固定される。
【００３０】
＜コネクタ基板＞
図２及び図３は、図１のコネクタ基板３１の一例を示した図である。図２は、コネクタ基板３１の斜視図であり、図３（ａ）には、コネクタ基板３１を側面から見た様子が示され、図３（ｂ）には、挿抜方向から見た様子が示されている。このコネクタ基板３１には、ＨＤＤモジュール４０と対向する面にコネクタ３０が取り付けられている。
【００３１】
コネクタ３０は、本体ユニット２０内の回路とＨＤＤモジュール４０内の回路とを電気的に接続するための接続部品であり、ＨＤＤモジュール４０側のコネクタと着脱可能に結合される。コネクタ３０としては、例えば、ＳＡＴＡ（シリアルＡＴＡ）規格に準拠した７ピン仕様の汎用のプラグコネクタが用いられる。
【００３２】
コネクタ基板３１は、コネクタ３０が固着される断面がＬ字形状のフレームである。コネクタ３０は、左右の両端部にネジ孔が設けられ、ネジ３２によってコネクタ基板３１に固定されている。
【００３３】
コネクタ３０から延伸する配線３３は、コネクタ基板３１を貫通して背面側に配置されている。また、コネクタ基板３１の背面側には、コネクタ基板３１を基板支持部材２２に取り付けた際に、コネクタ基板３１及び基板支持部材２２を互いに反対側に付勢する付勢手段として、樹脂スポンジ３４が配置されている。
【００３４】
この樹脂スポンジ３４は、樹脂製の弾性部材であり、例えば、ウレタンゴムなどの樹脂ゴムを発砲させて形成されたものが用いられる。ここでは、樹脂スポンジ３４が、ＨＤＤモジュール４０を挿入する際に、ＨＤＤモジュール４０側のコネクタとコネクタ３０とを結合させる挿入方向の押圧力よりも小さな力では変形せず、上記押圧力よりも大きな力を挿入方向に付加することによって弾性変形するものとする。
【００３５】
この例では、樹脂スポンジ３４が、２つのブロック状のスポンジ塊からなり、コネクタ基板３１の左右の両端部にそれぞれ配設されている。
【００３６】
＜ＨＤＤユニット＞
図４及び図５は、図１の録画装置１００におけるＨＤＤモジュール４０の構成例を示した図であり、ＨＤＤユニット４２、カバーフレーム４３及びコネクタ４４からなるＨＤＤモジュール４０が示されている。図４は、ＨＤＤモジュール４０をコネクタ側から見た斜視図であり、図５には、ＨＤＤモジュール４０を挿抜方向から見た様子が示されている。
【００３７】
ＨＤＤユニット４２は、円盤状の記録媒体（ディスク）を回転させながら当該記録媒体に情報を書き込んだり、記録媒体から情報を読み出すディスクドライブユニットであり、本体ユニット２０側のコネクタ３０と結合させるコネクタ４４が配設されている。
【００３８】
コネクタ４４をコネクタ３０と嵌合させることによって、本体ユニット２０内の回路とＨＤＤユニット４２内の回路とが電気的に接続される。
【００３９】
カバーフレーム４３は、ＨＤＤユニット４２を弾性的に支持するユニット支持部材であり、金属板からなる。ＨＤＤユニット４２は、防振ゴム４６を介してカバーフレームに固定されたネジ４５によってカバーフレーム４３に支持されている。この例では、ＨＤＤユニット４２が、左右両側のネジ４５の固着個所においてカバーフレーム４３に支持されている。
【００４０】
＜本体ユニット＞
図６は、図１の録画装置１００における本体ユニット２０の構成例を示した平面図である。ＨＤＤモジュール４０は、録画装置１００の前後方向を挿抜方向として、本体ユニット２０内に挿入される。ＨＤＤモジュール４０を筐体２１内に挿入する際、ガイド板２３によって挿抜方向の移動が案内されるとともに、左右方向の移動が規制される。
【００４１】
また、ＨＤＤモジュール４０は、筐体２１によって上下方向の移動も規制されているので、挿抜方向に交差する左右方向及び上下方向の移動が規制された状態で、ＨＤＤユニット４２のコネクタ４４が本体ユニット２０のコネクタ３０に結合される。
【００４２】
＜コネクタ基板の締結構造＞
図７は、図１の録画装置１００における本体ユニット２０の構成例を示した断面図であり、図６のＡ−Ａ線による切断面が示されている。本体ユニット２０のコネクタ３０は、コネクタ基板３１にネジ３２によって固着されており、このコネクタ基板３１を介して基板支持部材２２に取り付けられている。
【００４３】
コネクタ３０は、突起状の端子部を筐体２１の開口部２４に向けて配置されており、この端子部をＨＤＤモジュール４０側のコネクタ４４内に挿入することによって、両コネクタが結合される。
【００４４】
コネクタ基板３１は、コネクタ３０が配設されている面とは反対側の面を基板支持部材２２と対向させて配置され、コネクタ基板３１及び基板支持部材２２間に挟み込むように樹脂スポンジ３４が配設されている。
【００４５】
また、コネクタ基板３１は、ネジ３６によって基板支持部材２２と締結されている。基板支持部材２２には、ネジ３６を挿通させるネジ孔２２ａが設けられ、コネクタ基板３１には、ネジ３６と螺合させる圧入ナット３５が埋設されている。ネジ３６は、コネクタ基板３１及び基板支持部材２２を締結するための締結軸であり、その一端に頭部３６ａを有している。このネジ３６は、基板支持部材２２のネジ孔２２ａに挿通され、圧入ナット３５と螺合させることによってコネクタ基板３１に固着される。また、上記頭部３６ａは、最大径がネジ孔２２ａよりも大きく、締結軸側にテーパー面３６ｂを有している。
【００４６】
例えば、締結軸３６の直径はほぼ一定であり、頭部３６ａの直径が軸方向に徐々に太くなるようなテーパー面３６ｂを有する皿ネジをネジ３６として用いることができる。
【００４７】
ネジ孔２２ａは、基板支持部材２２を貫通する貫通孔である。圧入ナット３５は、コネクタ３０側からプレスすることによってコネクタ基板３１に圧入され、コネクタ基板３１に固定される。
【００４８】
樹脂スポンジ３４は、コネクタ基板３１と基板支持部材２２とを互いに反対側に付勢し、ネジ孔２２ａの外縁をネジ３６のテーパー面３６ｂに当接させる。ネジ孔２２ａの外縁がテーパー面３６ｂに当接した状態では、テーパー面３６ｂの存在によって、ネジ３６の締結軸が、ネジ孔２２ａの大きさに関わらず、常に、ネジ孔２２ａの略中心に位置決めされる。
【００４９】
また、ネジ孔２２ａの外縁とテーパー面３６ｂとが当接した状態では、基板支持部材２２に対して、コネクタ基板３１の上下方向及び左右方向の移動、すなわち、ＨＤＤモジュール４０の挿抜方向に交差する方向へのコネクタ３０の移動が規制され、コネクタ３０は、正しい位置に位置決めされる。一方、コネクタ基板３１は、挿入方向へのコネクタ３０の移動、すなわち、基板支持部材２２側への移動は、樹脂スポンジ３４による付勢力を越える力の付加によって可能な状態となっている。つまり、ＨＤＤモジュール４０の装着時、コネクタ４４及び３０を結合させた後、さらにＨＤＤモジュール４０を押し込むことによって、コネクタ基板３１を基板支持部材２２側へ移動させることが可能な構成となっている。
【００５０】
図８は、ＨＤＤモジュール４０を本体ユニット２０内に装着した場合の一例を示した断面図であり、図６のＡ−Ａ線による切断面が示されている。ＨＤＤモジュール４０は、コネクタ４４がコネクタ３０と嵌合し、さらに、本体ユニット２０の筐体２１と当接すると、挿入方向への移動が規制される。
【００５１】
コネクタ基板３１は、ＨＤＤモジュール４０が本体ユニット２０内に装着されれば、ＨＤＤモジュール４０の装着前に比べて基板支持部材２２側へ移動し、樹脂スポンジ３４を押し縮めた状態で保持される。
【００５２】
ＨＤＤモジュール４０は、コネクタ４４とコネクタ３０とを嵌合させた後、さらに、コネクタ３０及びコネクタ基板３１を基板支持部材２２側へ押し込んだ状態で固定される。すなわち、ＨＤＤモジュール４０は、本体ユニット２０内に挿入した際に、コネクタ基板３１及び基板支持部材２２間に挿抜方向に交差する方向の遊びＢが存在する状態で、抜け出ないように固定される。
【００５３】
この様なＨＤＤモジュール４０の装着状態では、基板支持部材２２のネジ孔２２ａとネジ３６又は圧入ナット３５との間に、コネクタ３０の挿抜方向に交差する方向の遊びが生じるので、コネクタ基板３１は、基板支持部材２２に対して上下方向及び左右方向に移動可能となる。
【００５４】
つまり、コネクタ３０は、ＨＤＤモジュール４０の装着前は、コネクタ基板３１に固着されたネジ３６のテーパー面３６ａがネジ孔２２ａの外縁に当接することによって所定位置で位置決めされ、上下方向及び左右方向の移動が規制されるのに対して、ＨＤＤモジュール４０の装着後は、ネジ孔２２ａ及びネジ３６間の遊びによって自由に移動できる状態となる。
【００５５】
本実施の形態によれば、ＨＤＤモジュール４０の装着前は、ネジ３６のテーパー面３６ｂがネジ孔２２ａの外縁に当接し、ＨＤＤモジュール４０の挿抜方向に交差する方向へのコネクタ３０の移動が規制され、コネクタ３０が筐体２１内の所定位置に配置された状態となる。この様にコネクタ３０が位置決めされることから、ＨＤＤモジュール４０をコネクタ４４側から挿入するだけで容易にコネクタ３０及び４４を結合することができる。しかも、ＨＤＤモジュール４０の装着後は、ＨＤＤユニット４２がカバーフレーム４３によって弾性的に支持されるとともに、ネジ３６のテーパー面３６ｂがネジ孔２２ａの外縁から離れることにより、コネクタ３０がＨＤＤモジュール４０の挿抜方向に交差する方向へ移動可能となる。このため、ＨＤＤユニット４２が弾性的に支持され、コネクタ３０及び４４に負担がかかって破損することもない。
【００５６】
また、ＨＤＤモジュール４０の挿抜方向に交差する方向へのコネクタ３０の移動を規制するのに基板支持部材２２に螺合されるネジ３６を利用するので、安価かつ容易に製造することができ、コネクタ３０，４４の破損を抑制しつつ、ＨＤＤモジュール４０を容易に着脱することができる録画装置１００を実現することができる。さらに、筐体２１に支持される基板支持部材２２にネジ３６を挿通させるネジ孔２２ａを設け、コネクタ基板３１にネジ３６の締結軸を螺合させる圧入ナット３５を埋設するので、製造時の作業性を向上させることができる。また、コネクタ基板３１及び基板支持部材２２間に配設される樹脂スポンジ３４が断面積を応じて付勢力が変化する弾性体であるので、コネクタ基板３１及び基板支持部材２２を互いに反対側に付勢させる際の付勢力を容易に調整することができる。
【００５７】
なお、本実施の形態では、ネジ３６が圧入ナット３５を介してコネクタ基板３１に固着され、ネジ３６を挿通させるネジ孔２２ａが基板支持部材２２に形成される場合の例について説明したが、本発明はこれに限られるものではない。例えば、圧入ナット３５を用いることなく、ネジ３６を直接にコネクタ基板３１に固着させても良い。また、圧入ナット３５をコネクタ基板３１に埋設するのに代えて、第１のネジをコネクタ基板３１に固着させ、締結軸の中心にネジ孔が設けられた第２のネジ（雌ネジ）を基板支持部材２２のネジ孔２２ａから挿通させて第１のネジの締結軸と結合させるようにすることが考えられる。
【００５８】
図９は、本発明の他の実施の形態によるユニット式電子機器の一構成例を示した断面図であり、Ａ−Ａ線による本体ユニット２０の切断面が示されている。コネクタ３０は、コネクタ基板３１、基板支持部材２２、ネジ５１，５２及び樹脂スポンジ３４によって支持されている。基板支持部材２２には、ネジ５２を挿通させるネジ孔２２ａが設けられ、コネクタ基板３１には、ネジ５２と螺合させるネジ５１が挿通されている。
【００５９】
コネクタ基板３１には、貫通孔が設けられ、この貫通孔にコネクタ３０側からネジ５１が挿通される。
【００６０】
ネジ５２は、コネクタ基板３１及び基板支持部材２２を締結するための締結軸であり、締結軸の中心にネジ孔を有する構造となっている。このネジ５２は、基板支持部材２２のネジ孔２２ａに挿通され、締結軸のネジ孔にネジ５１を挿入して螺合させることによってコネクタ基板３１に固着される。
【００６１】
この様な構成によっても、振動などの影響でコネクタ間に接触不良などが生じるのを抑制しつつ、ＨＤＤモジュール４０の着脱を容易化することができ、メンテナンス性を向上させることができる。
【００６２】
或いは、基板支持部材２２に圧入ナットを埋設し、コネクタ基板３１に当該圧入ナットと結合させるネジを挿通させるネジ孔を形成するようなものであっても良い。
【００６３】
図１０は、本発明のその他の実施の形態によるユニット式電子機器の一構成例を示した断面図であり、本体ユニット２０の切断面が示されている。コネクタ３０は、コネクタ基板３１、基板支持部材２２、ネジ６２、圧入ナット６３及び樹脂スポンジ３４によって支持されている。
【００６４】
コネクタ基板３１には、ネジ６２を挿通させるネジ孔６１が設けられ、基板支持部材２２には、ネジ６２と螺合させる圧入ナット６３が埋設されている。このネジ６２は、コネクタ基板３１のネジ孔６１に挿通され、締結軸を圧入ナット６３と螺合させることによって基板支持部材２２に固着される。
【００６５】
この様な構成によっても、振動などの影響でコネクタ間に接触不良などが生じるのを抑制しつつ、ＨＤＤモジュール４０の着脱を容易化することができ、メンテナンス性を向上させることができる。
【００６６】
また、本実施の形態では、コネクタ基板３１及び基板支持部材２２を互いに反対側に付勢する付勢手段として樹脂スポンジ３４を用いる場合の例について説明したが、本発明はこれに限られるものではない。例えば、コイル状のバネ等の付勢力を有する種々の部材を上記付勢手段として用いることができる。
【符号の説明】
【００６７】
１０  フロントパネルユニット
１１  フロントパネル
２０  本体ユニット
２１  筐体
２２  基板支持部材
２２ａ  ネジ孔
２３  ガイド板
２４  開口部
３０  コネクタ
３１  コネクタ基板
３２  ネジ
３３  配線
３４  樹脂スポンジ
３５  圧入ナット
３６  ネジ
３６ａ  テーパー面
４０  ＨＤＤモジュール
４１  固定用ネジ孔
４２  ＨＤＤユニット
４３  カバーフレーム
４４  コネクタ
４５  ネジ
４６  防振ゴム
５１，５２  ネジ
６１  ネジ孔
６２  ネジ
６３  圧入ナット
１００  録画装置
【図１】
2010170746.tif 000003
【図２】
2010170746.tif 000004
【図３】
2010170746.tif 000005
【図４】
2010170746.tif 000006
【図５】
2010170746.tif 000007
【図６】
2010170746.tif 000008
【図７】
2010170746.tif 000009
【図８】
2010170746.tif 000010
【図９】
2010170746.tif 000011
【図１０】
2010170746.tif 000012